(57)【要約】【課題】これまで通り、ゲートを閉鎖するプリングをなくして小さなパワーでゲートの開閉を実現しながら、手動でゲートをロックするこのできる新たなホッパと、そのホッパを搭載した組合せ計量装置を提供することを課題とする。【解決手段】上下が開口した中空状の本体と、該本体の下部開口を開閉するゲートと、該ゲートを搖動自在に支持する支持軸と、前記ゲートから伸び、該ゲートとは逆方向に揺動する揺動端に連結されて、前記ゲートを閉鎖方向に付勢するトグル機構と、そのトグル機構が前記ゲートから受ける反力によって座屈するのを防止するストッパとを備える。そして、そのトグル機構をストッパに手で当接離反させることにより、前記ゲートによる前記下部開口の閉鎖と解除とを切り替えるようにする。【選択図】図１
2016132568.tif 000002
【特許請求の範囲】
【請求項１】
上下が開口した中空状の本体と、該本体の下部開口を開閉するゲートと、該ゲートを搖動自在に支持する支持軸と、前記ゲートから伸び、該ゲートとは逆方向に揺動する揺動端に連結されて、前記ゲートを閉鎖方向に付勢するトグル機構と、該トグル機構が前記ゲートから受ける反力によって座屈するのを防止するストッパとを備え、前記トグル機構を前記ストッパに当接離反させることにより、前記ゲートによる前記下部開口の閉鎖と解除とを手動で切り替え可能にしたことを特徴とするホッパ。
【請求項２】
前記ゲートが前記下部開口の中央から両側に同時に開閉する２つのゲートを備えた両開き式ホッパであって、各ゲートから伸び、それぞれのゲートとは逆方向に揺動する各遥動端の間に、前記トグル機構が介在されている請求項１に記載のホッパ。
【請求項３】
前記ゲートが前記下部開口の中央から両側に個別に開閉する２つのゲートを備えた両開き式ホッパであって、一方のゲートが、該ゲートから伸び、該ゲートとは逆方向に遥動する揺動端と前記本体との間に前記トグル機構が介在されており、他方のゲートが、該ゲートを開閉するリンク機構の揺動端と前記本体との間に前記トグル機構が介在されている請求項１に記載のホッパ。
【請求項４】
装置本体の上部に供給された物品を複数の経路に分散させた後、各経路の先端下部に配置された複数のプールホッパと、その下段に配置された複数の計量ホッパとに順次供給して計量し、得られた各物品の計量値を組合せて最適な組合せを選択して排出する組合せ計量装置であって、前記各ホッパを請求項１〜３の何れかのホッパで構成したことを特徴とする組合せ計量装置。
【発明の詳細な説明】
【技術分野】
【０００１】
本発明は、物品を受け取って排出するホッパと、それを搭載した組合せ計量装置に関する。
【背景技術】
【０００２】
組合せ計量装置は、周知のように、装置中央上部に供給された物品を複数の経路に分散させた後、各経路の先端下部に配置された計量ホッパで物品を計量し、得られた各計量値を組合せて所定質量となる物品の組合せを選択する。
【０００３】
この装置に使用されるホッパには、上段に配置されて、小分けされた物品を一時的に蓄えて排出するプールホッパと、その下段に配置されて、プールホッパから物品を受け取って計量する計量ホッパと、さらにその下段に配置されて、複数の計量ホッパから排出された物品を収集して下方の包装機に排出するタイミングホッパ等がある。また、必要に応じて、計量ホッパの下段に配置されて、計量ホッパで計量された物品を一時的に蓄えて、収納した物品を組合せ演算に参加させるブースタホッパもある。
【０００４】
これらのホッパは、上下に開口部を有する角筒状のホッパ本体と、下端開口部を開閉するゲートとを有するが、最近のホッパは、小さいパワーでゲートを開閉するために、ゲートを閉鎖状態に保持するスプリングを無くし、その代わりに下記特許文献に開示されるような各種のロック機構を取り付けて、ゲートが自重で開くのを防止している。
【先行技術文献】
【特許文献】
【０００５】
【特許文献１】実用新案登録第２５１５０３８号公報
【特許文献２】実公平８−６７９２号公報
【発明の概要】
【発明が解決しようとする課題】
【０００６】
しかし、これらの特許文献に開示されたロック機構は、回転体に設けた鉤状の溝をゲートやリンクに設けたピンに係合させるものであるため、使用する間に溝とピンとの係合が甘くなり、次第にロック機構が効かなくなる問題がある。そのため、最近のホッパでは、こうしたロック機構を無くしてゲートだけのホッパとし、そのホッパを装置本体に装着するときに、閉じた状態のゲートを装置本体の開閉レバーと連結することによってゲートが勝手に開かないようにしている。
【０００７】
しかし、ロック機構のないホッパであると、それを装置本体から外すと、ゲートが自重で勝手に開くため、ホッパ内に被計量物が入っていたりすると、それを撒き散らして周囲を汚してしまう問題がある。さらに、ホッパを洗浄したり、運んだりするときは、搖動するゲートを手で押さえて閉じておかねばならない煩わしさもある。さらには、ホッパを再び装置本体に装着するときは、ゲートを手で押さえて装置本体の開閉レバーとゲートとを連結しなければならないので、作業性が極めて悪いという問題がある。
本発明は、これまで通り、スプリングをなくして小さなパワーでゲートの開閉を実現しながら、上記の種々の問題を解決するこのできる新たなホッパと、そのホッパを搭載した組合せ計量装置を提供することを課題とする。
【課題を解決するための手段】
【０００８】
本発明に係るホッパは、上下が開口した中空状の本体と、該本体の下部開口を開閉するゲートと、該ゲートを搖動自在に支持する支持軸と、前記ゲートから伸び、該ゲートとは逆方向に揺動する揺動端に連結されて、前記ゲートを閉鎖方向に付勢するトグル機構と、該トグル機構が前記ゲートから受ける反力によって座屈するのを防止するストッパとを備え、前記トグル機構を前記ストッパに当接離反させることにより、前記ゲートによる前記下部開口の閉鎖と解除とを手動で切り替え可能にしたことを特徴とする。
【０００９】
このホッパは、ゲートが一つの片開き式ホッパであっても良いし、左右のゲートが中央から両側に開く両開き式ホッパであっても良い。片開き式ホッパの場合は、ゲートから伸び、該ゲートとは逆方向に搖動する搖動端と前記本体との間にトグル機構を介在させる。そうすれば、トグル機構にロックを効かせたときに、ゲートを閉鎖状態に保持することができる。
【００１０】
一方、両開き式ホッパには、左右のゲートが同時に開閉するタイプと、左右のゲートが個別に開閉するタイプとがある。前者のタイプでは、左右のゲートがリンクで連結されて同時に開閉するようになっているから、何れかのゲートから伸び、該ゲートとは逆対方向に搖動する搖動端と本体との間にトグル機構を介在させる。或いは、各ゲートから伸び、それぞれのゲートとは逆方向に搖動するそれぞれの搖動端間にトグル機構を介在させる。そうすれば、トグル機構によるロックを効かせたときに、両ゲートを同時に閉鎖状態に保持することができる。
【００１１】
また、左右のゲートが個別に開閉する後者のタイプでは、各ゲートに対してそれぞれ独立のトグル機構を設ける。例えば、このタイプでは、各ゲートに対応させてそれぞれ独立の開閉レバーが装置本体側に設けられるから、開閉レバーから遠い方のゲートには、該ゲートに開閉レバーの開閉運動を伝達するリンク機構が設けられる。したがって、リンク機構が組み込まれた遠い方のゲートには、該リンク機構の揺動端部とホッパ本体との間にトグル機構を介在させる。そうすれば、トグル機構によるロックを効かせたときに、リンクの動きが阻止されるから、装置本体から遠い方のゲートを閉鎖状態に保持することができる。
【００１２】
また、リンク機構のない他方のゲートには、該ゲートから伸び、該ゲートとは逆方向に揺動する揺動端とホッパ本体との間にトグル機構を介在させる。そうすれば、トグル機構によるロックを効かせたときに、装置本体から近い方のゲートを閉鎖状態に保持することができる。したがって、このタイプのホッパでは、別々に設けられたトグル機構をそれぞれ操作することによって、各ゲートを個別に閉鎖状態に保持する。
【００１３】
ここで用いるトグル機構は、搖動する第１レバーと、それと対向する同じく搖動する第２レバーと、各レバーの搖動端を互いに回動自在に連結した中央の関節とで構成される。そして、ゲートを装置本体側の開閉レバーに連結した状態でホッパを装置本体に装着し、その状態で開閉レバーを搖動させると、前記ゲートは開閉し、同時にトグル機構もゲートの開閉運動に伴って中央の関節が屈伸する。しかし、その関節をストッパに押し当ててトグル機構によるロックを効かせると、ゲートは閉鎖状態に保持される。その状態では、開閉レバーは動くことができないから、ゲートを閉鎖状態にしたままホッパを装置本体から外したり、取り付けたりすることができる。したがって、これまでのように、ゲートを手で押さえる必要が無く、その後の取扱いが楽になる。
【００１４】
本発明に係る組合せ計量装置は、装置本体の上部に供給された物品を複数の経路に分散させた後、各経路の先端下部に配置された複数のプールホッパと、その下段に配置された複数の計量ホッパとに順次供給して計量し、得られた各物品の計量値を組合せて最適な組合せを選択して排出する組合せ計量装置であって、前記各ホッパを前述の何れかのホッパで構成したことを特徴とする。
【００１５】
ホッパを取り外すときは、トグル機構の中央の関節をストッパに押し当ててゲートを閉鎖状態に保持してから、該ホッパを手で持って装置本体から外す。そして、ホッパの洗浄に際しては、トグル機構の中央の関節を持ち上げて屈伸可能にすると、ゲートは、自重で開くから、ゲートが閉じた状態では洗い難い箇所も隅々まで洗浄することができる。
【００１６】
そして、再びホッパを装置本体に装着するときは、トグル機構の中央の関節をストッパに押し当ててゲートを閉鎖状態に保持し、その状態で装置本体の開閉レバーとゲートとを連結しながらホッパを装置本体に装着する。したがって、これまでのように、ゲートを手で押さえなくても良いから、ホッパの着脱作業が楽になる。
【発明の効果】
【００１７】
本発明によれば、トグル機構の中央の関節をストッパに当接離反させることにより、ゲートによる下部開口の閉鎖と解除とを手動で切り替え可能にしたから、ホッパを装置本体から外したり、それを装着したりする作業が極めて楽になる。したがって、ホッパの交換に要する作業時間を短縮させることができる。
【００１８】
また、本発明に係る組合せ計量装置によれば、装置本体に対するホッパの着脱が極めて容易であるから、特に厳しい衛生管理が要求される加工食品等の製造分野において、ホッパの頻繁な洗浄が要求されても、それに十分応えうる装置を提供することができる。
【図面の簡単な説明】
【００１９】
【図１】本発明の第１実施形態に係るホッパの側面図。
【図２】上記第１実施形態に係るホッパの背面図。
【図３】本発明の第２実施形態に係るホッパの右側面図。
【図４】上記第２実施形態に係るホッパの左側面図。
【図５】本発明の第３実施形態に係るホッパの右側面図。
【図６】上記第３実施形態に係るホッパの左側面図。
【図７】本発明に係る組合せ計量装置の構成概略図。
【発明を実施するための形態】
【００２０】
以下、図１〜図６を参照しながら本発明に係るホッパの各種の実施形態を説明する。なお、以下で説明する各実施形態は、本発明の技術的範囲を限定するものではない。
【００２１】
＜第１実施形態＞
図１、図２は、片開き式のゲートＧを備えたホッパＨの一例を示したものである。このホッパＨは、ステンレス材で形成され、上下が開口した中空状の本体Ｂと、この本体Ｂの下部開口を開閉するゲートＧと、本体Ｂに取り付けられて、ゲートＧを揺動自在に支持する支持軸Ｓと、該ゲートＧの端部に連結されて該ゲートＧを閉鎖方向に付勢するトグル機構Ｔと、このトグル機構ＴがゲートＧから受ける反力によって座屈するのを防止するストッパＳＴとを備えている。
【００２２】
本体Ｂは、上下が開口した略角筒状に形成され、上部開口の対向する左右の縁には、上方から投入される被計量物を本体Ｂ内に案内する傾斜板１、１が設けられている。また、斜め下方に開いた下部開口は、ゲートＧによって閉鎖されるように形成されている。さらに、本体Ｂの背面側には、左右方向に離間した一対のブラケット２、２が設けられ、このブラケット２、２の下端部に、ゲートＧを揺動自在に支持する支持軸Ｓが取り付けられている。また、これらのブラケット２、２には、下向きのフック３、３が形成され、そのフック３、３を装置本体側に取り付けられた図示しない棒状ハンガーに引っ掛ければ、ホッパHを装置本体に装着できるようになっている。
【００２３】
ゲートＧは、本体Ｂの下部開口を塞ぐことのできる大きさの平坦部４と、その平坦部４の両サイドから立ちあがる側壁５、５とを有している。この平坦部４の外側上部には、側壁５に沿って伸びるアーム６を有する補強板７が溶接され、その補強板７には、左右方向に離間した一対のブラケット８、８が取り付けられている。そして、そのブラケット８、８の上端に形成された孔に前記支持軸Ｓが挿通されて、ゲートＧ全体が支持軸Ｓを中心に揺動自在に支持されている。また、補強板７の下端には、コロ９を回転自在に支持する一対のブラケット１０、１０が取り付けられている。このコロ９は、ホッパＨを装置本体に装着したときに、装置側に設けられる図示しない二股状の開閉レバーに挟まれてその動きが拘束されるようになっている。したがって、開閉レバーが搖動すると、それに連れてゲートＧが支持軸Ｓを中心に矢印方向Ｆに回動する。また、ゲートＧの側壁５から延びるアーム６の搖動端６０には、トグル機構Ｔの一端が回転軸１１を介して連結されている。
【００２４】
このトグル機構Ｔは、回転軸１１を中心に搖動する第１レバー１２と、それと対向する位置に配置されて、回転軸１３を中心に搖動する第２レバー１４と、各レバー１２、１４の搖動端を互いに回動自在に連結した中央の関節１５とを備えている。そして、ゲートＧの側壁５から伸びるアーム６の搖動端６０は、支持軸Ｓを中心にゲートＧとは反対方向Ｒに搖動するから、ゲートＧが開放されると、トグル機構Ｔは、中央の関節１５で折れ曲がる。したがって、ゲートＧの開閉に伴って、中央の関節１５が上下方向に屈伸する。そして、ゲートＧが本体Ｂの下部開口を閉じた状態では、図１の一点鎖線で示す位置を下限として停止するように位置決めされている。したがって、装置本体側の開閉レバーによってコロ９が矢印方向Ｆに回動すると、回転軸１１は、それとは反対方向Ｒに回動して、トグル機構Ｔによるロックは効かないようになっている。
【００２５】
そして、第２レバー１４の搖動端に形成されたＬ字型突起１６を下向きに押せば、本体Ｂがトグル機構Ｔによって若干撓みながら中央の関節１５が、各レバー１２、１４が一直線上に並ぶ限界位置を越えて下方に変位する。しかし、ストッパＳＴは、ゲートＧが閉鎖状態となる一点鎖線で示す位置と上下に対称な下方位置に位置決めされているから、中央の関節１５がストッパＳＴに当たって止まると、トグル機構Ｔによるロックが効いて、アーム６の搖動端６０が拘束される。したがって、それと一体化されたゲートＧも拘束されて、下部開口が閉鎖状態のままとなる。そして、Ｌ字型突起１６を手で持ち上げれば、トグル機構Ｔの中央の関節１５は、再び一点鎖線で示す位置に戻って自由に屈伸できるようになるから、トグル機構Ｔによるロックは効かなくなる。したがって、その状態において、ホッパＨが装置本体から外されていれば、ゲートＧは自重で開くが、ホッパＨが装置本体に装着されて、コロ９が開閉レバーに挟まれていれば、開閉レバーがコロ９の動きを拘束して、ゲートＧは、自重では開かない。
【００２６】
なお、ストッパＳＴは、本体Ｂの側面に溶着され、トグル機構Ｔが前述の限界位置を超える際には、ホッパＨ全体が僅かに撓むが、そのときのＬ字型突起１６を下向きに押さえる力は、最大で５Kg程度に設計されている。したがって、ホッパＨを装置本体から外してゲートＧを洗浄するときでも、ゲートＧを下向きに押しただけでは、トグル機構Ｔによるロックは、解除されないようになっている。
【００２７】
＜第２実施形態＞
図３、図４は、左右のゲートＧが中央から両側に同時に開閉するタイプの両開き式ホッパＨの一例を示したものである。なお、この実施形態においても、トグル機構Ｔは、第１実施形態と同じ作用をするか、以下の説明では、図１、図２で示した同じ部材には、形状が異なっても同じ符号を付している。
【００２８】
このホッパＨも同じくステンレス材で形成され、上下が開口した略角筒状の本体Ｂと、本体Ｂ下部のＶ字状の開口部を左右から開閉する一対のゲートＧ、Ｇと、本体Ｂの側面に取り付けられて、各ゲートＧ、Ｇを揺動自在に支持する左右の支持軸Ｓ、Ｓと、各ゲートＧ、Ｇの、それぞれのゲートＧ、Ｇとは逆方向に搖動する各端部を閉鎖方向に付勢するトグル機構Ｔと、該トグル機構Ｔが各ゲートＧ、Ｇから受ける反力によって座屈するのを防止するストッパＳＴとを備えている。
【００２９】
このホッパＨは、図４に示すように、左右のゲートＧ，Ｇの側壁５、５がリンク２０で連結されて、左右のゲートＧ、Ｇが中央から両側に同時に開閉するようになっている。したがって、この種のホッパＨには、トグル機構Ｔを一つ設ければ良いから、このホッパＨでは、図３に示すように、トグル機構Ｔを、左右のゲートＧ、Ｇから伸びるそれぞれの搖動端６１、６１間に介在させている。すなわち、各ゲートＧ、Ｇの動きとは反対方向の動きを形成するために、各ゲートＧ、Ｇの側壁５、５から支持軸Ｓ，Ｓを越えて上方に伸びる搖動端６１、６１を形成し、それらの搖動端６１、６１間にトグル機構Ｔを介在させて両ゲートＧ、Ｇが矢印方向に開閉すれば、トグル機構Ｔの中央の関節１５が上下に屈伸するようにしている。
【００３０】
また、ストッパＳＴは、図１と同様に、中央の関節１５が左右のリンク１２、１４が一直線上に揃う限界位置を越えて下降しても、左右のゲートＧ、Ｇが閉じた状態となる位置に設けられているから、中央の関節１５が図１の一点鎖線で示す位置にあるときは、トグル機構Ｔによるロックは効かずに、コロ９の矢印方向の運動によって両ゲートＧ、Ｇが開閉し、それに伴って中央の関節１５が上下に屈伸する。
【００３１】
しかし、中央のＬ字型突起１６を下向きに押して中央の関節１５をストッパＳＴに押し当てれば、トグル機構Ｔによるロックが効いて、左右のゲートＧ，Ｇを閉鎖状態に保持する。また、Ｌ字型突起１６を持ち上げて中央の関節１５を図１の一点鎖線で示す位置に戻せば、ロックは解除されて、中央の関節１５は、上下方向に屈伸する。
【００３２】
このトグル機構Ｔも図１のトグル機構Ｔと同じ条件で設計されているから、トグルロックを効かせると、ゲートＧ、Ｇを手で押しても簡単には開かない。また、このホッパＨを装置本体から外してトグルロックを解除すれば、左右のゲートＧ、Ｇは自重で開く。そして、ホッパＨを装置本体に装着するときは、中央の関節１５をストッパ１６に押し当ててロックを効かせ、その状態で一方のゲートＧに取り付けられたコロ９を装置本体側の開閉レバーに挟み込んで装置に装着する。すると、コロ９は、開閉レバーに拘束されるから、その状態でトグルロックを解除すると、各ゲートＧ、Ｇは、開閉レバーの揺動運動によって開閉される。
【００３３】
なお、このホッパＨには、本体Ｂの背面側に上下方向に伸びる並行な一対のブラケット２、２を設けているが、このブラケット２、２には、図１のようなフック３を設けずに、上下に離間した水平バー２１、２１を設け、この水平バー２１、２１を装置本体側に設けられた逆方向のフックに引っ掛けて装着するようになっている。
また、このホッパＨでは、一方のゲートＧの側壁５からブラケット１０を伸ばし、そのブラケット１０の先端部に開閉レバーと連結されるコロ９を取り付けている。
【００３４】
＜第３実施形態＞
図５、図６は、左右のゲートが、中央から両側にそれぞれ独立して開閉する両開き式ホッパＨの一例を示したものである。そして、右側面図を表した図５では、向かって右側のゲートとそれに関連する部材にＲを付し、左側のゲートとそれに関連する部材にＬを付している。したがって、左側面図を表した図６では、図５に対応させて、各ゲートとそれに関連する部材にＲとＬを付している。
【００３５】
このホッパＨもステンレス材で形成され、上下が開口した略角筒状の本体Ｂと、本体Ｂ下部のＶ字状の右側開口部を開閉する右側ゲートＧＲと、左側開口部を開閉する左側ゲートＧＬと、本体Ｂの側面に取り付けられて、各ゲートＧＲ、ＧＬを揺動自在に支持する左右の支持軸ＳＲ、ＳＬと、右側ゲートＧＲの搖動端６Ｒ（図６参照）を閉鎖方向に付勢するトグル機構ＴＲ（図６参照）と、左側ゲートＧＬを開閉するリンク機構５０の搖動端部５４を閉鎖方向に付勢するトグル機構ＴＬ（図５参照）と、各トグル機構ＴＲ、ＴＬが対応するゲートＧＲ、ＧＬから受ける反力によってそれぞれ座屈するのを防止するストッパＳＴＲ、ＳＴＬとを備えている。
【００３６】
各ゲートＧＲ、ＧＬを個別に開閉するコロ９は、ホッパＨの右側側面と左側側面にそれぞれ分かれており、それらのコロ９は、ブラケット２が取り付けられたホッパＨの背面側にまとめて同軸上に配置されているから、右側ゲートＧＲを開閉するコロ９は、図６に示すように、ゲートＧＲの平坦部から伸びるブラケット１０Ｒの先端部に取り付けられ、左側ゲートＧＬを開閉するコロ９は、図５に示すように、該ゲートＧＬを開閉するリンク機構５０の操作端部５１に取り付けられている。
【００３７】
図５のリンク機構５０は、平面視Ｙ字状に形成された第１リンク５２と、それとピン結合される第２リンク５３とで構成されている。第１リンク５２は、右側ゲートＧＲを支持する支持軸ＳＲに、右側ゲートＧＲとは分離した状態で回転自在に取り付けられている。また、第２リンク５３は、一端が左側ゲートＧＬの揺動端６Ｌにピン結合され、他端が第１リンク５２の左側端部にピン結合されている。そして、コロ９が取り付けられた操作端部５１が矢印方向に揺動すると、第２リンク５３の右側ピンが矢印方向Ｂに回動し、それに伴って左側ゲートＧＬが矢印方向Ｅに開閉するようになっている。
【００３８】
また、第１リンク５２から上方に伸びる揺動端５４と、本体Ｂとの間には、左側ゲートＧＬを閉鎖状態に保持する同様なトグル機構ＴＬが設けられている。このトグル機構ＴＬは、図６に示すトグル機構ＴＲの左右を逆にして取り付けたもので、その作用は、図１に示すトグル機構Ｔと同一である。したがって、このトグル機構ＴＬの作用についての説明は、ここでは省略するが、このトグル機構ＴＬの下向きの座屈を防止するストッパＳＴＬの下側には、リンク機構５０の逆方向の回動を規制するストッパ５５が取り付けられている。
【００３９】
図６のトグル機構ＴＲは、右側ゲートＧＲの側壁５Ｒから上方に伸びる搖動端６Ｒと本体Ｂとの間に介在されている。この場合のトグル機構ＴＲの作用も図１のトグル機構Ｔの作用と同一であるから、ここではその説明を省略する。
【００４０】
また、このホッパＨでは、図３、図４のホッパＨと同様に、本体Ｂの背面側に並行な一対のブラケット２を上下方向に取り付け、そのブラケット２に上下に離間させた一対の水平バー２１、２１を取り付けている。また、このホッパＨには、左側ゲートＧＬを開放したときに、閉じた右側ゲートＧＲの斜面を滑走しながら落下してくる物品を左方向に確実に案内するための傾斜板３０が左側ゲートＧＬの下方に設けられている。この傾斜板３０は、本体Ｂの左右の側面から下方に伸びる左右のプレート３１、３１の先端部間に、左右のゲートＧＲ，ＧＬと干渉しないように架橋されている。また、左側ゲートＧＬの先端部は、閉じた右側ゲートＧＲの先端部よりも下方に伸張されている。これにより、左側ゲートＧＬが閉じ、右側ゲートＧＲが開放されるときに、閉じた左側ゲートＧＬを滑走する物品が傾斜板３０を超えないようになっている。
【００４１】
図７は、図３、図４に示すホッパＨをプールホッパＰＨとし、図５、図６に示すホッパＨを計量ホッパＷＨとし、図１、図２に示すホッパＨをブースタホッパＢＨとして使用した場合の組合せ計量装置の概略構成の一例を示したものである。
【００４２】
この組合せ計量装置Ｗは、装置を左右に２分割したもので、上段中央に配置される左右の分散フィーダＤＦ１、ＤＦ２と、その周囲に放射状に配列される複数の放射フィーダＲＦ１、ＲＦ２と、その下段に配置される一体型の駆動部Ｄと、該駆動部Ｄの周囲に等間隔に配列される複数のプールホッパＰＨと、各プールホッパＰＨから排出される物品を受け取って計量する同数の計量ホッパＷＨと、その下段に配置されて、各計量ホッパＷＨの内側ゲートから排出された物品を一時的に蓄えるブースタホッパＢＨと、各計量ホッパＷＨの外側ゲートから排出された物品並びにブースタホッパＢＨから排出された物品を収集する左右の集合シュートＣ１、Ｃ２と、中央の駆動部Ｄを支持する図示しない支持脚と、支持脚を支持する本体ＢＢとを備えている。この本体ＢＢは、図示しない架台上に配置されて、その架台の下方には、ツインタイプの包装機が配置される。
【００４３】
この組合せ計量装置Ｗは、２台の組合せ計量装置を左右に合体させた一般的なもので、左右の装置にそれぞれ異なる物品を供給して１台の装置を２台分の装置として使用することもできるし、左右の装置で計量した物品を一まとめにして１台分の装置として使用することもできる。そして、中央の駆動部Ｄには、各ホッパＰＨ，ＷＨ，ＢＨのゲートを開閉する図示しない開閉レバーと、各ホッパＰＨ，ＷＨ、ＢＨを引っ掛けるためのハンガーとが各ホッパＰＨ，ＷＨ，ＢＨに対応させて設けられている。
【００４４】
こうした装置は周知であるが、左右の計量ホッパＷＨの下段にブースタホッパＢＨを配置して、計量ホッパＷＨで計量した物品をブースタホッパＢＨに一時的に移し替えることにより、組合せ演算に参加できる物品数を増やしている。そのため、ブースタホッパＢＨに物品を移し替えて空になった計量ホッパＷＨには、プールホッパＰＨから物品を供給して再び計量するようになっている。そして、計量ホッパＷＨに供給された物品の質量と、ブースタホッパＢＨに移し変えられた物品の質量とを組合せて、所定質量の最適組合せを求め、求めた複数の計量ホッパＷＨやブースタホッパＢＨから物品を排出することにより所定質量の物品を得るようにしている。
【００４５】
そのため、ブースタホッパＢＨは、計量ホッパＷＨの内側ゲート（図５、図６では、右側ゲートＧＲ）の下方に配置されている。そして、こうした装置で食料品を計量する場合は、物品の種類が変わる度に、ホッパの交換や洗浄が必要となるので、その都度、全てのホッパを駆動部Ｄから外したり、取り付けたりしなければならないが、各ホッパＨには、前述のトグル機構Ｔが設けられているので、装置からの着脱は、極めて容易に行える。
【００４６】
以上、本発明の一実施形態を説明したが、本発明はこれに限定されず、その他の構成も採用可能である。例えば、図１〜図６に示すホッパＨをプールホッパＰＨや計量ホッパＷＨとして使用することができる。この場合には、ブースタホッパＢＨのない通常の組合せ計量装置となる。また、図３では、トグル機構Ｔを各ゲートＧ，Ｇの搖動端６１、６１間に介在させたが、一方の搖動端６１と本体Ｂとの間に介在させた態様であっても良い。
【産業上の利用可能性】
【００４７】
本発明によれば、ホッパの着脱や洗浄が容易であるから、特に物品を計量して袋詰めにする加工食品分野において広く利用可能である。
【符号の説明】
【００４８】
Ｈ      ホッパ
Ｂ      本体
Ｇ      ゲート
Ｓ      支持軸
Ｔ      トグル機構
ＳＴ      ストッパ
５０      リンク機構
５４      リンク機構の揺動端
６０      揺動端
６１      揺動端
６Ｒ      揺動端
Ｗ      組合せ計量装置
ＰＨ      プールホッパ  
ＷＨ      計量ホッパ
ＢＨ      ブースタホッパ
【図１】
2016132568.tif 000003
【図２】
2016132568.tif 000004
【図３】
2016132568.tif 000005
【図４】
2016132568.tif 000006
【図５】
2016132568.tif 000007
【図６】
2016132568.tif 000008
【図７】
2016132568.tif 000009